(57)【要約】【課題】隣接し合う人工歯同士の当接面の形状がばらつかず、排列が容易な人工歯セットを提供する。【解決手段】人工歯セットにおいて、少なくとも２つの近心遠心方向に隣接し合う人工歯１，２を、隣接し合う側の最大豊隆部の一方が他方に対して咬合面寄り且つ頬側面寄りに位置し、且つ、咬合方向および頬舌方向に、両者の最大豊隆部ＷＰＵ，ＷＰＤの間において、互いに当接し合うものとし、それぞれを形成するための金型の分割線ＰＬ１，ＰＬ２が最大豊隆部ＷＰＵ，ＷＰＤを通るようにする。【選択図】図１
2011036466.tif 000002
【特許請求の範囲】
【請求項１】
複数の人工歯からなり、
少なくとも２つの近心遠心方向に隣接し合う前記人工歯は、隣接し合う側の最大豊隆部の位置が互いに異なり、且つ、前記最大豊隆部と異なる位置で互いに当接し合うことを特徴とする人工歯セット。
【請求項２】
前記人工歯は、概略咬合方向に直交する上下分割部と概略頬舌方向に直交する内外分割部とを有する分割線によって分割される金型によって形成され、
前記複合分割面は、それぞれ、前記人工歯の最大豊隆部を通ることを特徴とする請求項１に記載の人工歯セット。
【請求項３】
近心遠心方向に隣接し合う前記人工歯の一方は、他方に隣接する側に、他方の隣接する側の前記豊隆部に対して、咬合面寄り且つ頬側面寄りに位置する前記最大豊隆部を有することを特徴とする請求項１または２に記載の人工歯セット。
【請求項４】
近心遠心方向に隣接し合う前記人工歯は、咬合方向および頬舌方向に、両者の前記最大豊隆部の間において、互いに当接し合うことを特徴とする請求項１から３のいずれかに記載の人工歯セット。
【請求項５】
近心遠心方向に隣接し合う前記人工歯は、互いに面で接触することを特徴とする請求項１から４のいずれかに記載の人工歯セット。
【請求項６】
前記最大豊隆部と異なる位置で互いに当接する前記人工歯は、臼歯であることを特徴とする請求項１から５のいずれかに記載の人工歯セット。
【請求項７】
前記人工歯は、基材の少なくとも頬側面および咬合面が硬質層で覆われてなり、
近心遠心方向に隣接し合う前記人工歯は、互いに当接し合う位置において、一方が前記硬質層で覆われ、他方が前記基材を露出していることを特徴とする請求項１から６のいずれかに記載の人工歯セット。
【発明の詳細な説明】
【技術分野】
【０００１】
本発明は、歯科補綴物を作成するための人工歯セットに関する。
【背景技術】
【０００２】
歯科補綴物（有床義歯）の製作における人工歯の排列には、高度な技術と経験とが必要とされる。
【０００３】
通常、人工歯は、金型で形成されるが、機能的および審美的な理由から、頬側面および咬合面には、金型の分割線を配置することが適当ではない。したがって、特許文献１に記載されているように、人工歯の近心遠心方向の面には、金型の分割線が位置することになる。また、金型の分割線は、人工歯を金型から取り出す抜き型を形成するために、人工歯の最大豊隆部を通るように配置される。
【０００４】
金型で形成した人工歯の表面には、分割線上にバリが発生するため、このバリを研磨等して除去する結果として、人工歯の近心遠心方向の面の形状、特に、最大豊隆部近傍の形状が、個々にばらつき、設計どおりではなくなってしまう。
【０００５】
人工歯は、通常、近心遠心方向に隣接する人工歯に対して、最大豊隆部近傍が当接するため、上述のようなバリ取りによって最大豊隆部の形状がばらついた人工歯は、互いの位置関係を把握することが難しくなっており、歯科補綴物の製作時の人工歯の排列をより困難な作業にしていた。
【先行技術文献】
【特許文献】
【０００６】
【特許文献１】特開平９−２２０２４２号公報
【発明の概要】
【発明が解決しようとする課題】
【０００７】
前記問題点に鑑みて、本発明は、隣接し合う人工歯同士の当接面の形状がばらつかず、排列が容易な人工歯セットを提供することを課題とする。
【課題を解決するための手段】
【０００８】
前記課題を解決するために、本発明による人工歯セットは、複数の人工歯からなり、少なくとも２つの近心遠心方向に隣接し合う前記人工歯は、隣接し合う側の最大豊隆部の位置が互いに異なり、且つ、前記最大豊隆部と異なる位置で互いに当接し合うものとする。
【０００９】
この構成によれば、隣接する人工歯を互いの最大豊隆部以外の位置で当接し合うようにしたので、バリ取り等によって最大豊隆部の形状が変わっても、互いに当接し合う部分の形状が変わらない。このため、歯科補綴物の作成において、技工士は、隣接し合う人工歯の相対位置を容易に把握して、比較的簡単に人工歯を排列できる。
【００１０】
また、本発明の人工歯セットにおいて、前記人工歯は、概略咬合方向に直交する上下分割部と概略頬舌方向に直交する内外分割部とを有する分割線によって分割される金型によって形成され、前記分割線は、それぞれ、前記人工歯の最大豊隆部を通ってもよい。
【００１１】
この構成によれば、人工歯の頬側面および咬合面に分割線を形成せず、人工歯の抜き型を確保した通常の２分割の金型を用いて人工歯を成形できる。
【００１２】
また、本発明の人工歯セットにおいて、近心遠心方向に隣接し合う前記人工歯の一方は、他方に隣接する側に、他方の隣接する側の前記豊隆部に対して、咬合面寄り且つ頬側面寄りに位置する前記最大豊隆部を有してもよい。
【００１３】
この構成によれば、最大豊隆部を通る金型の分割線を、人工歯の頬側面および咬合面を通らず、且つ、隣接する人工歯の間で離れた位置を経由するように配置できる。このため、隣接する人工歯に対向する面の、バリ取りのために研磨されることがない範囲が大きく、この範囲内で隣接する人工歯同士を当接させることで、人工歯の排列が容易な形状とすることができる。
【００１４】
尚、本発明では、厳密には臼歯に対してのみ用いられる頬側や頬舌方向という表現を用いているが、本発明を臼歯に限定することを意図するものではなく、本発明を切歯や犬歯に適用する場合は、唇側や唇舌方向を意味するものと理解しなければならない。また舌側との表現も、下顎用の人工歯にのみ本発明が適用されることを意図せず、上顎における口蓋側を含む用語として理解しなければならない。
【００１５】
また、本発明の人工歯セットにおいて、近心遠心方向に隣接し合う前記人工歯は、咬合方向および頬舌方向に、両者の前記最大豊隆部の間において、互いに当接し合ってもよい。
【００１６】
この構成によれば、最大豊隆部の間に当接位置を設定することで、人工歯の形状を複雑にすることなく、最大豊隆部と異なる位置で互いに当接し合うようにできる。
【００１７】
また、本発明の人工歯セットにおいて、近心遠心方向に隣接し合う前記人工歯は、互いに面で接触してもよい。
【００１８】
この構成によれば、人工歯間の相対位置が容易に定まる。
【００１９】
また、本発明の人工歯セットにおいて、前記最大豊隆部と異なる位置で互いに当接する前記人工歯は、臼歯であってもよい。
【００２０】
本発明の構成は、頬舌方向に寸法が大きな臼歯に適用しやすい。
【００２１】
また、本発明の人工歯セットにおいて、前記人工歯は、基材の少なくとも頬側面および咬合面が硬質層で覆われてなり、近心遠心方向に隣接し合う前記人工歯は、互いに当接し合う位置において、一方が前記硬質層で覆われ、他方が前記基材を露出していてもよい。
【００２２】
この構成によれば、硬質層の有無によって人工歯の位置や向きを確認できる。
【発明の効果】
【００２３】
本発明によれば、隣接し合う人工歯の最大豊隆部の位置および互いの当接位置を異ならせたことで、人工歯の成型時のバリを取る際に、互いの当接位置を削り取って形状を変化させることがない。このため、人工歯間の当接によって相対位置を把握できるので、歯科補綴物の作成が容易である。
【図面の簡単な説明】
【００２４】
【図１】本発明の第１実施形態の人工歯セットの斜視図である。
【図２】図１の人工歯の頬側からの正面図である。
【図３】図１の人工歯の近心方向からの側面図である。
【図４】本発明の第２実施形態の人工歯セットの斜視図である。
【図５】図４の人工歯の頬側からの正面図である。
【発明を実施するための形態】
【００２５】
これより、本発明の実施形態について、図面を参照しながら説明する。図１および２は、本発明の第１実施形態に係る人工歯セットを示す。本実施形態の人工歯セットは、人工下顎第１大臼歯１と人工下顎第２大臼歯２とを含む。
【００２６】
本発明に係る人工歯セットは、予め成形されて提供され、歯科技工士が、歯科補綴物、特に、フルデンチャーおよびパーシャルデンチャーの有床義歯を製作するために用いるものである。本発明に係る人工歯セットは、少なくとも２本の互いに隣接し合う人工歯を含み、好ましくは、並んで排列される４本の臼歯（小臼歯および大臼歯）を含み、犬歯や切歯を含む上下顎の全ての人工歯のセットとしても提供され得る。
【００２７】
本実施形態において、近心遠心方向に隣接し合う人工歯１，２は、それぞれの近心遠心方向に最も突出した最大豊隆部ＷＰＬ，ＷＰＵの位置が、咬合方向および頬舌方向に異なっており、両者の最大豊隆部ＷＰＬ，ＷＰＵの間に位置する当接領域ＣＡにおいて、互いに面接触するようになっている。
【００２８】
本実施形態では、人工歯２の最大豊隆部ＷＰＵは、人工歯１の最大豊隆部ＷＰＬに対して、咬合面寄り且つ頬側面寄りに位置している。そして、当接領域ＣＡは、咬合方向および頬舌方向に、人工歯１，２の最大豊隆部ＷＰＬ，ＷＰＵの間に位置している。
【００２９】
尚、特に図２において、人工歯１および２の形状は、分かりやすくするために誇張して図示されている。
【００３０】
また、人工歯１および人工歯２は、それぞれ、２分割の金型によって成形され、金型の分割位置に対応する分割線ＰＬ１，ＰＬ２が図示されている。分割線ＰＬ１，ＰＬ２は、概略咬合方向に直交する上下分割部ＬＨＬ，ＬＨＵと、概略頬舌方向に直交する内外分割部ＬＶＩ，ＬＶＯとを含む。
【００３１】
また、分割線ＰＬ１，ＰＬ２は、人工歯１，２のそれぞれの最大豊隆部ＷＰＬ，ＷＰＵを通り、頬側面および咬合面を通らないように配置されている。図３に示すように、人工歯１，２を近心方向から見ると、当接領域ＣＡは、人工歯１，２の上下分割部ＬＨＬ，ＬＨＵと内外分割部ＬＶＩ，ＬＶＯとで取り囲まれている。
【００３２】
本実施形態では、人工歯１，２の隣接し合う側の最大豊隆部ＷＰＬ，ＷＰＵを、近心遠心方向から見て位置が異なるように、咬合方向および頬舌方向にずらして配置したことで、最大豊隆部ＷＰＬ，ＷＰＵと異なる位置に、人工歯１と人工歯２とが当接し合う当接領域ＣＡを設けることができた。
【００３３】
このため、人工歯１，２の金型を２分割とし、抜き型を形成するために最大豊隆部ＷＰＬ，ＷＰＵを通るように分割線ＰＬ１，ＰＬ２を配置しなければならない場合にも、人工歯１，２の分割線ＰＬ１，ＰＬ２の上にできるバリを削り取る作業によって、当接領域ＣＡを削り取ることがない。
【００３４】
このように、人工歯１および人工歯２は、当接領域ＣＡの形状が一定であるので、人工歯１と人工歯２とを当接領域ＣＡにおいて当接させたときの、両者の相対位置関係が適切となる。これにより、技工士が歯科保綴物を作成する際、人工歯１と人工歯２とを容易に排列できる。
【００３５】
人工歯１，２の当接領域ＣＡを、金型の脱離方向に分割線ＰＬ１，ＰＬ２に向かって人工歯１，２の幅が単調増加するような、金型の抜き型を損なわない範囲の曲面で形成すれば、人工歯１，２の相対位置をより把握しやすくなる。
【００３６】
また、本実施形態において、当接領域ＣＡの面積を十分に確保するために、咬合面寄りの最大豊隆部ＷＰＵは、人工歯１，２の咬合方向の高さ（最も突出した咬頭Ｃから基底面までの距離）方向に咬合面側の３分の１の範囲に位置し、基底面寄りの最大豊隆部ＷＰＬは、人工歯１，２の咬合方向の高さ（最も突出した咬頭Ｃから基底面までの距離）方向に基底面側の３分の１の範囲に位置することが好ましい。
【００３７】
さらに、人工歯１，２は、例えば象牙質からなる基材の表面に、例えばエナメル質からなる硬質層を設けてなる。硬質層は、分割線ＰＬ１，ＰＬ２の上側にのみ形成され、咬合面および頬側面の全体を覆っている。これにより、人工歯１の当接領域ＣＡは、硬質層で覆われているが、人工歯２の当接領域ＣＡは基材が露出している。
【００３８】
つまり、硬質層の配置によって、人工歯１と人工歯２との判別、および、頬側と舌側との方向確認を行うことができる。硬質層は自然歯に近い色調に着色することが望まれるが、基材は、硬質層と色調を異ならせることで判別を容易にしてもよい。
【００３９】
また、人工歯１，２の近心面および遠心面全体を硬質層で覆う場合にも、金型による圧縮成形時に分割線ＰＬ１，ＰＬ２に形成されるバリに硬質層と基材との層が形成され、バリを削り取った表面に、基材の層が現れる。これによっても、分割線ＰＬ１，ＰＬ２を確認することができるので、人工歯１と人工歯２との判別、および、人工歯１，２の頬舌方向の確認を行うことができる。人工歯１，２の基材は、それ自体が多層の構造であってもよい。
【００４０】
また、人工歯１，２の咬合面の硬質層は、近心側が厚く形成されている。具体的には、人工歯１，２の硬質層は、近心側の咬頭において、遠心側の咬頭における硬質層よりも１．０３〜３．５倍、好ましくは、１．１〜１．２倍の厚みを有する。
【００４１】
これは、遠心側の咬頭の硬質層の摩耗によって人工歯の寿命を判断し、近心側の咬頭によって、人工歯の交換準備ができるまでの間、咀嚼機能を維持可能にするためである。また、硬質層の厚みによって、人工歯１，２の近心遠心方向の判別を容易にする効果も得られる。
【００４２】
また、人工歯１，２の金型を作成する際、当接領域ＣＡを形成する側のキャビティを、上下分割部ＬＨＬ，ＬＨＵおよび内外分割部ＬＶＩ，ＬＶＯの近傍において僅かに大きく形成し、金型成形した人工歯１，２の分割ラインＰＬ１，ＰＬ２の中央側の面が外側の面よりも０．０１〜１．００ｍｍ、好ましくは、０．０５〜０．５０ｍｍ、より好ましくは、０．０７〜０．３５ｍｍ突出するようにするとよい。この段差を解消するように、人工歯１，２の表面を削ることで、バリ取り後の形状が、設計形状と大きく異ならないようにできる。
【００４３】
また、本発明による人工歯１，２は、射出成形によって形成することが好ましい。射出成形であれば、バリが小さいので、当接領域ＣＰをより大きくすることが可能であり、人工歯１，２の排列をより簡単にすることが可能である。
【００４４】
続いて、図４に、本発明の第２実施形態の人工歯セットを示す。尚、本実施形態の説明では、第１実施形態と同じ構成要素には同じ符号を付して、重複する説明を省略する。
【００４５】
本実施形態において、人工歯１，２は、それぞれの近心面の当接領域ＣＰよりも基底面側且つ舌側に、最大豊隆部ＷＰＬを有し、それぞれの遠心面の当接領域ＣＰよりも咬合面側且つ頬側に、最大豊隆部ＷＰＵを有する。
【００４６】
各人工歯１，２の分割線ＰＬ１，ＰＬ２は、それぞれ、最大豊隆部ＷＰＵ，ＷＰＬを通るため、いずれも、近心面において、基底面寄りの上下分割部ＬＨＬと舌側寄りの外分割線ＬＶＩとを有し、遠心面において、咬合面寄りの上下分割部ＬＨＵと頬側寄りの外分割線ＬＶＯとを有する。
【００４７】
本実施形態の人工歯セットは、さらに、近心面および遠心面が同様に構成された小臼歯（図５に第２小臼歯３のみ図示）を含む。これらの人工歯１，２，３は、図５に示すように、当接領域ＣＰの向きが近心面と遠心面とで同じになる。このため、例えば人工歯２は、噛み締め時等に隣接する人工歯１および３からそれぞれ受ける押圧力がバランスするため、咀嚼によって人工歯２が頬舌方向に押し出されたり、咬合方向に浮き上がったりしない。
【００４８】
本実施形態とは逆に、各人工歯１，２，３は、近心面において、咬合面側且つ頬側に位置する最大豊隆部ＷＰＵを有し、咬合面寄りの上下分割部ＬＨＵと頬側寄りの外分割線ＬＶＯとを有し、遠心面において、基底面側且つ舌側に位置する最大豊隆部ＷＰＬを有し、基底面寄りの上下分割部ＬＨＬと舌側寄りの外分割線ＬＶＩとを有してもよい。
【００４９】
また、このような人工歯１，２，３を圧縮成形する際、硬質層を形成する材料が、金型の圧縮方向に、分割線ＰＬ１，ＰＬ２から遠く（金型の奥）に偏り易い。そこで、人工歯１，２，３の硬質層に厚みの変化を持たせる場合、近心遠心方向に、基底面寄りの上下分割部ＬＨＬを有する側の咬頭Ｃの中で、頬舌方向に舌側寄りの内外分割部ＬＶＩから遠い側の咬頭Ｃの硬質層の厚みが最も厚くなるようにすることが好ましい。
【００５０】
本発明による人工歯セットにおいて、上述の実施形態についてその原則を説明した近心面および遠心面の形状は、全ての臼歯の互いに隣接する面に適用されることが好ましい。また、本発明は、臼歯だけでなく切歯および犬歯にも適用できる。したがって、先の説明において方向を示す「頬」という用語は、切歯や犬歯における「唇」を含むものと理解されなければならない。
【００５１】
また、本発明は、下顎の人工歯だけではなく、上下顎で対をなす人工歯セットに適用されることが好ましく、先の説明において方向を示す「舌」という用語は、上顎における「口蓋」を含むものと理解されなければならない。
【符号の説明】
【００５２】
１…第１大臼歯
２…第２大臼歯
３…第２小臼歯
【図１】
2011036466.tif 000003
【図２】
2011036466.tif 000004
【図３】
2011036466.tif 000005
【図４】
2011036466.tif 000006
【図５】
2011036466.tif 000007
【手続補正書】
【提出日】平成22年2月18日(2010.2.18)
【手続補正１】
【補正対象書類名】特許請求の範囲
【補正対象項目名】請求項２
【補正方法】変更
【補正の内容】
【請求項２】
前記人工歯は、概略咬合方向に直交する上下分割部と概略頬舌方向に直交する内外分割部とを有する分割線によって分割される金型によって形成され、
前記分割線は、それぞれ、前記人工歯の最大豊隆部を通ることを特徴とする請求項１に記載の人工歯セット。
【手続補正２】
【補正対象書類名】明細書
【補正対象項目名】００４３
【補正方法】変更
【補正の内容】
【００４３】
また、本発明による人工歯１，２は、射出成形によって形成することが好ましい。射出成形であれば、バリが小さいので、当接領域ＣＡをより大きくすることが可能であり、人工歯１，２の排列をより簡単にすることが可能である。
【手続補正３】
【補正対象書類名】明細書
【補正対象項目名】００４５
【補正方法】変更
【補正の内容】
【００４５】
本実施形態において、人工歯１，２は、それぞれの近心面の当接領域ＣＡよりも基底面側且つ舌側に、最大豊隆部ＷＰＬを有し、それぞれの遠心面の当接領域ＣＡよりも咬合面側且つ頬側に、最大豊隆部ＷＰＵを有する。
【手続補正４】
【補正対象書類名】明細書
【補正対象項目名】００４７
【補正方法】変更
【補正の内容】
【００４７】
本実施形態の人工歯セットは、さらに、近心面および遠心面が同様に構成された小臼歯（図５に第２小臼歯３のみ図示）を含む。これらの人工歯１，２，３は、図５に示すように、当接領域ＣＡの向きが近心面と遠心面とで同じになる。このため、例えば人工歯２は、噛み締め時等に隣接する人工歯１および３からそれぞれ受ける押圧力がバランスするため、咀嚼によって人工歯２が頬舌方向に押し出されたり、咬合方向に浮き上がったりしない。
【手続補正５】
【補正対象書類名】図面
【補正対象項目名】図２
【補正方法】変更
【補正の内容】
【図２】
2011036466.tif 000008